(57)【要約】      （修正有）【課題】本発明は前面基板上に形成される電極の構造が変更されて製造費用が節減されて生産収率が向上するプラズマディスプレイパネルを提供する。  また、本発明は電極の構造が変更されてプラズマ放電の時に発光輝度及び放電効率が向上したプラズマディスプレイパネルを提供する。【解決手段】本発明の一例によるプラズマディスプレイパネルは第１基板、第１基板に形成された第１電極と第２電極、第１電極及び第２電極の間で複数の放電ギャップを形成する複数の分岐電極を含む中央電極を含む。  また、本発明の他の一例によるプラズマディスプレイパネルは第１基板及び第２基板、 第１基板上に形成された第１電極及び第２電極、第１電極と前記第２電極の間で複数の放電ギャップを形成する複数の分岐電極を含む中央電極及び第２基板上に中央電極と交差されるように形成された第３電極を含む。【選択図】図１
2007012607.tif 000002
【特許請求の範囲】
【請求項１】
第１基板と、
前記第１基板に形成された第１電極と第２電極と、
前記第１電極及び前記第２電極の間に複数の放電ギャップを形成する複数の分岐電極を含む中央電極と、
を含むことを特徴とするプラズマディスプレイパネル。
【請求項２】
前記第１電極と前記第２電極はスキャン電極またはサステイン電極の内の一つであり、
前記中央電極はスキャン電極またはサステイン電極の内で残りであることを特徴とする、請求項１記載のプラズマディスプレイパネル。
【請求項３】
前記第１電極、前記第２電極または前記中央電極の内で少なくとも一つはバス電極を含むことを特徴とする、請求項１記載のプラズマディスプレイパネル。
【請求項４】
前記分岐電極は放電セル内で分岐された第１分岐電極と第２分岐電極を含み、
前記第１分岐電極は前記第２電極より前記第１電極にさらに近傍に形成されて、
前記第２分岐電極は前記第１電極より前記第２電極にさらに近傍に形成されたことを特徴とする、請求項１記載のプラズマディスプレイパネル。
【請求項５】
前記第１電極と前記第１分岐電極間の第１放電ギャップまたは前記第２電極と前記第２分岐電極間の第２放電ギャップの内で少なくとも一つは、略一定であることを特徴とする、請求項４記載のプラズマディスプレイパネル。
【請求項６】
前記第１電極または前記第２電極または前記第１分岐電極または前記第２分岐電極の内で少なくとも一つは複数個の突き出し電極をさらに含むことを特徴とする、請求項５記載のプラズマディスプレイパネル。
【請求項７】
前記第１電極または前記第２電極の内で少なくとも一つに含まれる複数個の突き出し電極は前記分岐電極方向に突き出されたことを特徴とする、請求項６記載のプラズマディスプレイパネル。
【請求項８】
前記第１分岐電極に含まれた複数個の突き出し電極は前記第１電極方向に突き出されて、 第２分岐電極に含まれた複数個の突き出電極は前記第２電極方向に突き出されたことを特徴とする、請求項６記載のプラズマディスプレイパネル。
【請求項９】
前記第１電極または前記第２電極の内で少なくとも一つは、前記分岐電極の側面と並んでいる方向に突き出された複数個の枝電極をさらに含むことを特徴とする、請求項４記載のプラズマディスプレイパネル。
【請求項１０】
前記第１電極に含まれる複数個の枝電極と前記第１分岐電極の側面間に形成される第１放電ギャップまたは前記第２電極に含まれる複数個の枝電極と前記第２分岐電極の側面間に形成される第２放電ギャップの内で少なくとも一つは、略一定であることを特徴とする、請求項９記載のプラズマディスプレイパネル。
【請求項１１】
前記第１電極または前記第２電極または前記分岐電極の内で少なくとも一つは複数個の突き出し電極をさらに含むことを特徴とする、請求項１０記載のプラズマディスプレイパネル。
【請求項１２】
前記第１電極または前記第２電極の内で少なくとも一つに含まれる複数個の突き出し電極は、前記分岐電極方向に突き出されたことを特徴とする、請求項１１記載のプラズマディスプレイパネル。
【請求項１３】
前記第１分岐電極に含まれる複数個の突き出し電極は前記第１電極方向に突き出されて、前記第２分岐電極に含まれる複数個の突き出し電極は前記第２電極方向に突き出されたことを特徴とする、請求項１２記載のプラズマディスプレイパネル。
【請求項１４】
前記複数個の放電ギャップの最短距離はおおよそ３０ｕｍ以上７０ｕｍ以下であることを特徴とする、請求項１記載のプラズマディスプレイパネル。
【請求項１５】
前記第１電極または前記中央電極または前記第２電極の内で少なくとも一つの断面幅は ２０ｕｍ以上６０ｕｍ以下であることを特徴とする、請求項１記載のプラズマディスプレイパネル。
【請求項１６】
第１基板及び第２基板と、
前記第１基板に形成された第１電極及び第２電極と、
前記第１電極と前記第２電極の間に複数の放電ギャップを形成する複数の分岐電極を含む中央電極と、
前記第２基板上に前記中央電極と交差されるように形成された第３電極と、
を含むことを特徴とするプラズマディスプレイパネル。
【請求項１７】
前記第３電極は前記分岐電極に対応される地点では他の部分よりも幅がさらに広いことを特徴とする、請求項１６記載のプラズマディスプレイパネル。
【請求項１８】
前記第３電極は前記分岐電極に対応される地点で分岐された複数個の第３分岐電極をさらに含むことを特徴とする、請求項１６記載のプラズマディスプレイパネル。
【発明の詳細な説明】
【技術分野】
【０００１】
本発明はプラズマディスプレイパネル（Ｐｌａｓｍａ  Ｄｉｓｐｌａｙ  ｐａｎｅｌ）に関する。
【背景技術】
【０００２】
一般的にプラズマディスプレイパネルは画像が表示されるプラズマディスプレイパネル（Ｐｌａｓｍａ  Ｄｉｓｐｌａｙ  Ｐａｎｅｌ）の前面基板と背面基板の間に形成された隔壁によって形成された複数の放電セルを持つことで、各セル内にはネオン（Ｎｅ）、ヘリウム（Ｈｅ）またはネオン及びヘリウムの混合気体（Ｎｅ＋Ｈｅ）のような主放電気体と少量のキセノンを含む不活性ガスが充電されている。このような放電セルは複数個が集まって一つのピクセル（Ｐｉｘｅｌ）を成す。例えば赤色（Ｒｅｄ、Ｒ）放電セル、緑色（Ｇｒｅｅｎ、Ｇ）放電セル、青色（Ｂｌｕｅ、Ｂ） 放電セルが集まって一つのピクセルを成す。
【０００３】
そしてこのようなプラズマディスプレイパネルは高周波電圧によって放電される時、不活性ガスは真空紫外線（Ｖａｃｕｕｍ  Ｕｌｔｒａｖｉｏｌｅｔ  ｒａｙｓ）を発生して隔壁の間に形成された蛍光体を発光させて画像が具現される。このようなプラズマディスプレイパネルは薄く軽い構成が可能でディスプレイ装置として脚光を浴びている。
【発明の開示】
【発明が解決しようとする課題】
【０００４】
本発明の目的は、前面基板上に形成される電極の構造が変更されることにより、製造費用が節減されて生産収率が向上するプラズマディスプレイパネルを提供することにある。
【０００５】
本発明の他の目的は、電極の構造が変更されてプラズマ放電の時に発光輝度及び放電効率が向上されたプラズマディスプレイパネルを提供することにある。
【課題を解決するための手段】
【０００６】
本発明の一例によるプラズマディスプレイパネルは第１基板、第１基板に形成された第１電極と第２電極、第１電極と第２電極の間で複数の放電ギャップを形成する複数の分岐電極を含む中央電極を含む。
【０００７】
ここで、第１電極と第２電極はスキャン電極またはサステイン電極の内の一つで、中央電極はスキャン電極またはサステイン電極の内で残りであることを特徴とする。
【０００８】
また、第１電極、第２電極または中央電極の内で少なくとも一つはバス電極を含むことを特徴とする。
【０００９】
また、分岐電極は放電セル内で分岐された第１分岐電極と第２分岐電極を含み、第１分岐電極は第２電極より第１電極にさらに近傍に形成されて、第２分岐電極は第１電極より第２電極にさらに近傍に形成されたことを特徴とする。
【００１０】
また、第１電極と第１分岐電極間の第１放電ギャップまたは第２電極と第２分岐電極間の第２放電ギャップの内で少なくとも一つがおおよそ一定であることを特徴とする。
【００１１】
また、第１電極または第２電極または分岐電極の内で少なくとも一つは複数個の突き出し電極がさらに含むことを特徴とする。
【００１２】
また、第１電極または第２電極の内で少なくとも一つに含まれる複数個の突き出し電極は分岐電極方向に突き出されたことを特徴とする。
【００１３】
また、第１分岐電極に含まれた複数個の突き出し電極は第１電極方向に突き出されて、 第２分岐電極に含まれた複数個の突き出し電極は第２電極方向に突き出されたことを特徴とする。
【００１４】
また、第１電極または第２電極の内で少なくとも一つは分岐電極の側面と並んでいる方向に突き出された複数個の枝電極をさらに含むことを特徴とする。
【００１５】
また、第１電極に含まれる複数個の枝電極と第１分岐電極の側面間に形成される第１放電ギャップまたは第２電極に含まれる複数個の枝電極と第２分岐電極の側面間に形成される第２放電ギャップの内で少なくとも一つはおおよそ一定であることを特徴とする。
【００１６】
また、第１電極または第２電極または分岐電極の内で少なくとも一つは複数個の突き出し電極をさらに含むことを特徴とする。
【００１７】
また、第１電極または第２電極の内で少なくとも一つに含まれる複数個の突き出電極は分岐電極方向に突き出されたことを特徴とする。
【００１８】
また、第１分岐電極に含まれる複数個の突き出電極は第１電極方向に突き出されて第２分岐電極に含まれる複数個の突き出電極は第２電極方向に突き出されたことを特徴とする。
【００１９】
また、複数個の放電ギャップの最短距離はおおよそ３０ｕｍ以上７０ｕｍ以下であることを特徴とする。
【００２０】
また、第１電極または中央電極または前記第２電極の内で少なくとも一つの断面幅は ２０ｕｍ以上６０ｕｍ以下であることを特徴とする。
【００２１】
また、本発明の他の一例によるプラズマディスプレイパネルは第１基板及び第２基板、 第１基板上に形成された第１電極及び第２電極、第１電極と前記第２電極の間で複数の放電ギャップを形成する複数の分岐電極を含む中央電極及び第２基板上に中央電極と交差されるように形成された第３電極を含む。
【００２２】
ここで、第３電極は分岐電極に対応される地点では他の部分よりも幅がさらに広いことを特徴とする。
【００２３】
また、第３電極は分岐電極に対応される地点で分岐された複数個の第３分岐電極をさらに含むことを特徴とする。
【発明の効果】
【００２４】
本発明は前面基板上に形成される電極の構造が変更されることにより、製造費用が節減されて生産収率が向上される効果がある。
【００２５】
また本発明は電極の構造が変更されてプラズマ放電の時に発光輝度及び放電効率が向上される効果がある。
【発明を実施するための最良の形態】
【００２６】
以下、添付された図面を参照して本発明の一例によるプラズマディスプレイパネルを詳しく説明する。
【００２７】
図１は本発明によるプラズマディスプレイパネルの一例を説明するための図である。
【００２８】
図１を注意深くみれば、 プラズマディスプレイパネルの一例は、画像がディスプレイされる表示面である第１基板１０１に第１電極１０２、第２電極１０３及び中央電極１０４が形成された第１パネル１００、及び、背面を成す第２基板１１１上に前述の第１電極１０２、 第２電極１０３及び中央電極１０４と交差になるように第３電極１１３が配列された第２パネル１１０が所定の距離を間に置いて並んで結合されることができる。
【００２９】
第１パネル１００は一つの放電空間、すなわち放電セルで相互放電させて放電セルの発光を維持するための第１電極１０２、第２電極１０３ 及び中央電極１０４が金属材質で製作されたバス電極により構成されることができる。
【００３０】
図１では、第１電極１０２、 第２電極１０３ 及び中央電極１０４が金属材質で製作されたバス電極により構成された場合だけとしたが、これと違うように、第１電極１０２、 第２電極１０３ 及び中央電極１０４が透明な ITO 物質で形成された透明電極と金属材質で製作されたバス電極により番を成して構成されることもできる。
【００３１】
このような第１電極１０２、第２電極１０３及び中央電極１０４は、放電電流を制限して電極対の間を絶縁させてくれる一つ以上の上部誘電体層１０５によって覆わせて、上部誘電体層１０５上面には放電条件を容易くするために酸化マグネシウム（ＭｇＯ）を蒸着した保護層１０６が形成されることができる。
【００３２】
第２パネル１１０は、複数個の放電空間すなわち、放電セル２００（図２等参照）を形成させるためのストライプタイプ(またはウェルタイプ)の隔壁１１２が配列されることができる。また、アドレス放電を遂行して真空紫外線を発生させる複数の第３電極１１３が隔壁１１２に対して並んで配置されることができる。
【００３３】
第２パネル１１０の上側面にはアドレス放電時画像表示のための可視光線を放出するＲ、 Ｇ、Ｂ蛍光体１１４が塗布される。第３電極１１３と蛍光体１１４の間には、第３電極１１３を保護するための下部誘電体層１１５が形成されることができる。
【００３４】
この図１ではプラズマディスプレイパネルの一例のみを示して説明したが、本発明が図１の構造のプラズマディスプレイパネル１００に限定されるのではない。
【００３５】
例えば、 上部誘電体層１０５が図面では厚さが一定である場合だけ示したが、上部誘電体層１０５が領域別で厚さと誘電定数が変わることができるし、隔壁１１２の間隔が一定である場合だけ示したが、Ｂ放電セルの隔壁１１２の間隔をさらに大きくできる。
【００３６】
また、隔壁１１２の側面が凹凸形状になるようにして塗布される蛍光体層１１４も凹凸模様によって形成されるようにすることでプラズマディスプレイパネルに具現される映像の輝度をさらに高くすることもできる。
【００３７】
また、プラズマディスプレイ製造工程の時、排気特性の向上のために隔壁１１２の側面にトンネルを形成することもできる。
【００３８】
このようなプラズマディスプレイパネルで、第１基板１０１上に形成される第１電極１０２、第２電極１０３及び中央電極１０４に対して、次の図２を通じてより詳しく注意深く見る。
【００３９】
図２は図１に示されたプラズマディスプレイパネルで、第１電極、第２電極及び中央電極を説明するための図である。
【００４０】
図示されたように、 図１に示されたプラズマディスプレイパネルを前面からみると、第１基板(図示せず)上に第１電極１０２と第２電極１０３が形成されて、第１電極１０２及び第２電極１０３の間で複数の放電ギャップ（ｄ１、ｄ２）を形成する複数の分岐電極（１０４ａ、１０４ｂ）を含む中央電極１０４が形成される。
【００４１】
この時、 中央電極１０４の模様は、図２（ａ）、（ｂ）のように多様な形態に形成されることができる。
【００４２】
ここで、中央電極１０４に含まれる分岐電極（１０４ａ、１０４ｂ）は、放電セル２００内で分岐された第１分岐電極１０４ａと第２分岐電極１０４ｂで分けられることができる。
【００４３】
図示されたように、第１分岐電極１０４ａは、第２電極１０３より第１電極１０２にさらに近傍に形成されて、第２分岐電極１０４ｂは、第１電極１０２より第２電極１０３にさらに近傍に形成されることができる。
【００４４】
このように、第１電極１０２、第２電極１０３及び中央電極１０４を形成すれば、一つの放電セル２００内により多い放電ギャップ（ｄ１、ｄ２）を形成することができてプラズマディスプレイパネルで具現される映像の輝度をさらに高めることができる効果がある。
【００４５】
例えば、スキャン電極とサステイン電極が放電セル内に一つずつだけ形成されて、放電ギャップが放電セルの中央に一つだけ形成される場合には、蛍光体による発光が主に放電ギャップが形成された放電セルの中央でばかり発生するようになる。
【００４６】
しかし、図２に示されたのように電極を形成すれば、放電ギャップが複数個形成されることができる。即ち、第１電極１０２と中央電極１０４の間、第２電極１０３と中央電極１０４ の間に放電ギャップ （ｄ１、ｄ２）が形成されることができるし、蛍光体による発光が多くの所で発生するようになって輝度がさらに向上されることができるのである。
【００４７】
また、第１電極１０２と第２電極１０３は、スキャン電極またはサステイン電極の内で一つの役目を担当するようにすることができて、中央電極１０４はスキャン電極またはサステイン電極の内で残り役目を担当するようにできる。
【００４８】
例えば、第１電極１０２と第２電極１０３がサステイン電極の機能を担当する場合には中央電極１０４はスキャン電極の機能を担当するのである。
【００４９】
また、第１電極１０２または第２電極１０３または中央電極１０４の内少なくとも一つはバス電極だけで構成されるようにできる。
【００５０】
このようにすれば、透明電極を使わない度合の製造費用が節減されることができる効果がある。
【００５１】
また、製造工程の時、透明電極を形成する工程を減らすことができて生産収率の向上される効果がある。
【００５２】
この時、複数個の放電ギャップ（ｄ１、ｄ２）の最短距離は、おおよそ３０ｕｍ以上７０ｕｍ以下になるようにできる。
【００５３】
放電ギャップ（ｄ１、ｄ２）の最短距離がおおよそ３０ｕｍ以上になるようにすることは、放電ギャップが小くなることを防止して放電セル２００内で適切な放電領域をより確実に維持するためである。
【００５４】
また、放電ギャップ（ｄ１、ｄ２）の最短距離はおおよそ７０ｕｍ以下ですることは、放電を起こすための電圧が電極に供給される場合に適切な水準の電圧レベルで放電が発生されるようにするためである。
【００５５】
また、第１電極１０２または第２電極１０３または中央電極１０４の内少なくとも一つの断面幅（ｗ１、ｗ２、ｗ３）は、２０ｕｍ以上６０ｕｍ以下になるようにできる。
【００５６】
第１電極１０２または第２電極１０３または中央電極１０４の内少なくとも一つの断面幅（ｗ１、ｗ２、ｗ３）が２０ｕｍ以上になるようにすることは、適切な容量の電流が電極に供給される時、電流が電極の抵抗成分により過度に抑制されないようにして、、電流が適切に流れるようにするためである。
【００５７】
また、第１電極１０２または第２電極１０３または中央電極１０４の内少なくとも一つの断面幅（ｗ１、ｗ２、ｗ３）が６０ｕｍ以下になるようにすることは、電極の幅をこのように制限することで放電セル２００の開口率を適切に維持して適切な水準の輝度が維持されるようにするためである。
【００５８】
今までは第１電極１０２、第２電極１０３及び中央電極１０４の基本的な形態に対してだけ説明したが、これと異なり、中央電極１０４の形状に対応になるように第１電極１０２と第２電極１０３が異なるように形成されることもできる。これを次の図３を通じて説明する。
【００５９】
図３は、第１電極または第２電極の内で少なくとも一つが中央電極の形状に対応されるように形成された一例に対して説明するための図である。
【００６０】
図３（ａ）と（ｂ）に示されたように、第１電極１０２が第１ 分岐電極１０４ａの形状に対応されるように形成されることができる。この時、第１電極１０２と第１分岐電極１０４ａの間に形成される第１放電ギャップ（ｄ１、ｄ２、ｄ３）が略一定になるようにできる。
【００６１】
また、第２電極１０３が第２分岐電極１０４ｂの形状に対応されるように形成されることができる。この時、第２電極１０３と第２分岐電極１０４ｂの間に形成される第２放電ギャップ（ｄ１’、ｄ２’、 ｄ３’）が略一定になるようにできる。
【００６２】
このように、第１放電ギャップ（ｄ１、ｄ２、ｄ３）または第２放電ギャップ（ｄ１’、ｄ２’、 ｄ３’）の内少なくとも一つが略一定になるようにすることは、放電セル２００内で発生する放電の大きさが略一定になるようにすることで、放電が放電セル２００内で均一に発生するようにさせるためである。
【００６３】
また、このようにすることで、放電セル２００内で発生する放電領域が相対的にさらに広く形成されることができるし、輝度がさらに向上される効果がある。
【００６４】
図４は、図３に示された電極で第１電極または第２電極または分岐電極の内で少なくとも一つに突き出し電極が形成された一例を説明するための図である。
【００６５】
図４（ａ）、（ｂ）、（ｃ）、（ｄ）に示されたのように、第１電極１０２または第２電極１０３ または分岐電極（１０４ａ、１０４ｂ）の内少なくとも一つは、複数個の突き出し電極４００がさらに含まれるようにできる。
【００６６】
図４（ａ）に示されたのように、中央電極１０４に複数個の突き出し電極４００が形成される場合には、第１分岐電極１０４ａに含まれた複数個の突き出し電極４００は、第１電極１０２方向に突き出されて、第２分岐電極１０４ｂに含まれた複数個の突き出し電極４００は、第２電極１０３方向に突き出されるようにできる。
【００６７】
これは、放電が発生する放電ギャップが第１分岐電極１０４ａと第１電極１０２の間に形成されて、第２分岐電極１０４ｂと第２電極１０３の間に形成されるので、このように突き出し電極４００が放電を発生させる方向に形成されることで放電開始の時に、放電がさらに敏感で容易に発生するようにするためである。
【００６８】
物理的特性上、伝導体の胴体部分より伝導体の末端部分に電荷がさらにおおく形成される。 したがって、放電セル２００内で突き出し電極４００が形成された部分で壁電荷がさらにおおく形成されるから放電がさらに敏感で容易に発生するのである。
【００６９】
そして、図４（ｂ）に示されたように、第１電極１０２または第２電極１０３の内少なくとも一つに含まれる複数個の突き出し電極４００が含まれる場合には、複数個の突き出し電極４００が分岐電極（１０４ａ、１０４ｂ）方向に突き出されるようにできる。
【００７０】
また、図４（ｃ）のように複数個の突き出し電極４００が第１電極１０２、第２電極１０３、 分岐電極（１０４ａ、１０４ｂ）皆に形成されるようにすることもできる。このようにすれば放電がさらに容易く発生するようになる。
【００７１】
そして、このように複数個の突き出し電極４００は、図４（ｄ）のように第１電極１０２、第２電極１０３、中央電極１０４の形態が異なる場合にも、同様に形成されることができるのである。
【００７２】
図５は、第１電極または第２電極の内で少なくとも一つに枝電極がさらに含まれる一例を説明する図である。
【００７３】
図５（ａ）、（ｂ）に示されたように、第１電極１０２または第２電極１０３の内少なくとも一つには、分岐電極（１０４ａ、１０４ｂ）の側面と並んでいる方向に突き出された複数個の枝電極（１０２ａ、１０２ｂ、１０３ａ、１０３ｂ）がさらに含まれることができる。枝電極（１０２ａ、１０２ｂ）は、図５（ａ），（ｂ）に示すように、分岐電極（１０４ａ）の形状に対応するように、分岐電極（１０４ａ）の形状に沿って形成される。同様に、枝電極（１０３ａ、１０３ｂ）は、図５（ａ），（ｂ）に示すように、分岐電極（１０４ｂ）の形状に対応するように、分岐電極（１０４ａ）の形状に沿って形成される。このように、枝電極（１０２ａ、１０２ｂ、１０３ａ、１０３ｂ）を形成することにより、図３に示す第１電極１０２、第２電極１０３を分岐電極１０４ａ、１０４ｂに対応させて形成する場合と同様に、放電領域を実質的に拡大することができる。
図３の場合には、第１電極１０２、第２電極１０３の全長にわたって第１電極１０２、第２電極１０３の形状を分岐電極１０４ａ、１０４ｂの形状に対応させるので、放電領域を拡大する効果が大きい。図５の場合には、枝電極（１０２ａ、１０２ｂ、１０３ａ、１０３ｂ）を分岐電極（１０４ａ）の一部に対応させるように形成することで、放電領域拡大の効果を奏しつつ、第１電極１０２、第２電極１０３の全長にわたって分岐電極１０４ａ、１０４ｂの形状に対応させる必要がないので製造がより容易である。
【００７４】
これは、放電セル２００内で放電領域を相対的にさらに広くするためのまた一つの方法で輝度が向上される効果がある。
【００７５】
この時、第１電極１０２に含まれる複数個の枝電極（１０２ａ、１０２ｂ）と第１分岐電極１０４ａの側面間に形成される第１放電ギャップ（ｄ１、ｄ２、ｄ３）が略一定になるようにできる。
【００７６】
また、第２電極１０３に含まれる複数個の枝電極（１０３ａ、１０３ｂ）と第２分岐電極１０４ｂの側面間に形成される第２放電ギャップ（ｄ１’、ｄ２’、ｄ３’）が略一定になるようにできる。
【００７７】
このように、第１放電ギャップ（ｄ１、ｄ２、ｄ３） または第２放電ギャップ（ｄ１、 ｄ２、ｄ３） の内少なくとも一つが略一定になるようにすることは、放電セル２００内で発生する放電の大きさを略一定になるようにすることで、放電セル２００ 内で放電が均一に発生するようにするためである。
【００７８】
このように、 第１電極１０２と第２電極１０３の内少なくとも一つが枝電極（１０２ａ、１０２ｂ、１０３ａ、１０３ｂ）をさらに含む場合にも突き出し電極が形成されるようにできる。次の図６を通じて説明する。
【００７９】
図６は図５に示された電極で第１電極または第２電極または分岐電極の内で少なくとも一つに突き出し電極が形成された一例を説明するための図である。
【００８０】
図６（ａ）、（ｂ）、（ｃ）、（ｄ）に示されたのように、第１電極１０２または第２電極１０３ または分岐電極（１０４ａ、１０４ｂ）の内少なくとも一つには、複数個の突き出し電極４００がさらに含まれるようにできる。
【００８１】
図６（ａ）に示されたように、中央電極１０４に複数個の突き出し電極４００が形成される場合には、第１分岐電極１０４ａに含まれた複数個の突き出し電極４００は、第１電極１０２方向に突き出されて、第２分岐電極１０４ｂに含まれた複数個の突き出し電極４００は、第２電極１０３方向に突き出されるようにできる。
【００８２】
そして、図６（ｂ）に示されたように、第１電極１０２ または第２電極１０３の内少なくとも一つに含まれる複数個の突き出し電極４００が含まれる場合には、複数個の突き出し電極４００が分岐電極（１０４ａ、１０４ｂ）方向に突き出されるようにできる。
【００８３】
また、図６（ｃ）のように複数個の突き出し電極４００が第１電極１０２、第２電極１０３、 分岐電極（１０４ａ、１０４ｂ）皆に形成されるようにすることもできる。このようにすれば放電がさらに容易く発生するようになる。
【００８４】
そして、このように複数個の突き出し電極４００は、図６（ｄ）のように第１電極１０２、第２電極１０３、中央電極１０４の形態が異なる場合にも、同様に形成されることができるのである。
【００８５】
今までは第１基板に形成された第１電極１０２、第２電極１０３及び中央電極１０４に対してだけ説明したが、次の図７を通じて第２基板に形成された第３電極１１３に対して説明する。
【００８６】
図７は、図１に示されたプラズマディスプレイパネルで第２基板上に形成された第３電極を説明するための図面である。
【００８７】
図７（ａ）に示されたように、第１基板（図示せず）に第１電極１０２及び第２電極１０３が形成されて、第１電極１０２と第２電極１０３の間で複数の放電ギャップ（ｄ１、ｄ２）を形成する複数の分岐電極（１０４ａ、１０４ｂ）を含む中央電極１０４が形成されて、第２基板（図示せず）上に中央電極１０４と交差されるように第３電極１１３が形成される。
【００８８】
この時、第１電極１０２と第２電極１０３はサステイン電極の機能を遂行するようにできて、中央電極１０４はスキャン電極の機能を遂行するようにできる。
【００８９】
ここで、第３電極１１３は分岐電極（１０４ａ、１０４ｂ）に対応される地点で他の部部よりも幅がさらに広いようにできる。
【００９０】
この時、第３電極１１３で分岐電極（１０４ａ、１０４ｂ）に対応される地点の幅（ｘ１）は、分岐電極（１０４ａ、１０４ｂ）によって形成される幅（ｘ１）とおおよそ等しくできる。
【００９１】
このようにすることで、中央電極１０４と第３電極１１３がお互いに交差される面積をさらに広くでき、これは中央電極１０４を通じてスキャン信号が供給されて第３電極１１３を通じてデータ信号が供給される時、第１基板と第２基板の間の放電セル２００ 内で発生する対向放電をさらに容易にすることができる。
【００９２】
また、このように中央電極１０４と第３電極１１３が交差される面積がさらに広く形成されることでより、安定的なアドレッシング機能の遂行ができて、高速アドレッシンにもさらに有利に作用することができる。
【００９３】
この時、第３電極１１３は反射が少ないバス電極で構成することもできる。
【００９４】
また、図７（ｂ）に示されたように、第３電極１１３は分岐電極（１０４ａ、１０４ｂ）に対応される地点で分岐された複数個の第３分岐電極（１１３ａ、１１３ｂ）をさらに含むことができる。
【００９５】
このようにすることで、実質的に対向放電の効果はそのまま維持しながら第３電極１１３を形成する時使われる材料は減らすことができて、製造費用を節減することができる。
【図面の簡単な説明】
【００９６】
【図１】本発明によるプラズマディスプレイパネルの一例を説明するための図。
【図２】図１に示されたプラズマディスプレイパネルで第１電極、第２電極及び中央電極を説明するための図。
【図３】第１電極または第２電極の内で少なくとも一つが中央電極の形状に対応されるように形成された一例に対して説明するための図。
【図４】図３に示された電極で第１電極または第２電極または分岐電極の内で少なくとも一つに突き出し電極が形成された一例を説明するための図。
【図５】第１電極または第２電極の内で少なくとも一つに枝電極がさらに含まれる一例を説明するための図。
【図６】図５に示された電極で第１電極または第２電極または分岐電極の内で少なくとも一つに突き出電極が形成された一例を説明するための図。
【図７】図１に示されたプラズマディスプレイパネルで第２基板上に形成された第３電極を説明するための図。
【図１】
2007012607.tif 000003
【図２】
2007012607.tif 000004
【図３】
2007012607.tif 000005
【図４】
2007012607.tif 000006
【図６】
2007012607.tif 000007
【図７】
2007012607.tif 000008
【図５】
2007012607.tif 000009